(57)【要約】【課題】多値変調方式において、通信状況に対して柔軟な対処が可能な送信方法の提供を目的とする。【解決手段】多値変調方式のなかに、既知パイロットシンボルまたはＰＳＫ変調シンボルを挿入する送信方法において、既知パイロットシンボルまたはＰＳＫ変調シンボルの挿入間隔を通信状況に合わせて変化させることで、伝送路の状況や必要とするデータ伝送速度に応じた送信方法を提供することを可能とした。【選択図】図２
2004274797.tif 000002
【特許請求の範囲】
【請求項１】
多値変調シンボルである第１シンボルに、パイロットシンボルである第２シンボルを挿入する送信方法であって、通信状況に応じて前記第２シンボルの挿入間隔を切り替える送信方法。
【請求項２】
多値変調シンボルである第１シンボルに、位相変調シンボルである第２シンボルを挿入する送信方法であって、通信状況に応じて前記第２シンボルの挿入間隔を切り替える送信方法。
【請求項３】
第２シンボルが２値位相変調シンボルである請求項２記載の送信方法。
【請求項４】
多値変調シンボルである第１シンボルに、パイロットシンボルである第２シンボルを挿入する送信方法に用いる送信装置であって、通信状況に応じて前記第２シンボルの挿入間隔を切り替えた前記第１シンボルと前記第２シンボルの直交ベースバンド信号を出力する直交ベースバンド変調部を具備する送信装置。
【請求項５】
多値変調シンボルである第１シンボルに、位相変調シンボルである第２シンボルを挿入する送信方法に用いる送信装置であって、通信状況に応じて前記第２シンボルの挿入間隔を切り替えた前記第１シンボルと前記第２シンボルの直交ベースバンド信号を出力する直交ベースバンド変調部を具備する送信装置。
【請求項６】
第２シンボルが２値位相変調シンボルである請求項５記載の送信装置。
【発明の詳細な説明】
【技術分野】
【０００１】
本発明は、パイロットシンボルを用いて無線通信を行うディジタル無線通信方式に関する。
【背景技術】
【０００２】
従来のパイロットシンボルに関するディジタル無線通信方式に関するものとして特許文献１に記載されている技術が知られている。これは図９のようなフレーム構成からなり、送信部においてデータシンボルＮシンボル毎に既知のパイロットシンボルを１シンボル挿入するものである。受信部ではそのパイロットシンボルを利用して、周波数オフセットおよび振幅歪み量を推定し、復調する。
【特許文献１】特開平１−１９６９２４号公報
【発明の開示】
【発明が解決しようとする課題】
【０００３】
無線通信においては、フェージングによる伝送路の変動が起こるが、特に陸上移動通信においては伝送路の変動は一様ではない。伝送路の変動が激しい場合、データ復調の誤りを防ぐためにパイロットシンボルの挿入間隔を短くとる必要があり、逆に伝送路の変動が緩やかな場合、パイロットシンボルの挿入間隔を長くとれる。従来の方法では、パイロットシンボルの挿入間隔がデータシンボルＮシンボル毎に１シンボルと固定であるため、データの復調の誤りを少なくすることを優先した場合、パイロットシンボルを挿入する割合を大きくしなければならず、この場合データ伝送効率が悪い。逆に、データ伝送効率をよくすることを優先した場合、パイロットシンボルの挿入する割合が小さくなり、これによりデータの復調の誤りが多くなる。
【０００４】
本発明では、伝送路の変動やデータの品質などの通信状況に合わせて、パイロットシンボルの挿入間隔を変化させ、また、パイロットシンボルの挿入間隔により同相−直交平面におけるパイロットシンボルの信号点配置を変化させることで、データの伝送効率向上とデータの品質向上のために柔軟な対処が可能な通信方式を提供することを目的とする。
【課題を解決するための手段】
【０００５】
この課題を解決するために本発明は、多値変調シンボルである第１シンボルに、パイロットシンボルである第２シンボルを挿入する送信方法であって、通信状況に応じて前記第２シンボルの挿入間隔を切り替える送信方法である。
【発明の効果】
【０００６】
本発明の送信方法は、上記構成により、伝送路の変動が激しくなった場合や送信データの復調誤りを少なくしたい場合には既知パイロットシンボルまたはＰＳＫ変調シンボルの挿入間隔を短くすることでデータの復調誤りを少なくし、伝送路の変動が緩やかになった場合やデータの伝送効率を上げたい場合には既知パイロットシンボルまたはＰＳＫ変調シンボルの挿入間隔を長くすることでデータ伝送効率を上げることができる。
【発明を実施するための最良の形態】
【０００７】
以下、本発明の実施の形態について図１から図９を用いて説明する。
【０００８】
（実施の形態１）
図１は、本実施の形態における無線通信システムの構成概念図を示しており、図１において、（ａ）は送信系、（ｂ）は受信系である。図１において、１０１は送信ディジタル信号、１０２は伝送路情報、１０３は要求データ伝送速度情報、１０４は送信系直交ベースバンド変調部、１０５は直交ベースバンド信号の同相成分、１０６は直交ベースバンド信号の直交成分、１０７は送信無線部、１０８は送信信号、１０９は送信系アンテナ、１１０は受信系アンテナ、１１１は受信無線部、１１２は受信系直交ベースバンド信号の同相成分、１１３は受信系直交ベースバンド信号の直交成分、１１４は伝送路歪み推定部、１１５は伝送路歪み量推定値、１１６は準同期検波部、１１７は受信ディジタル信号である。
【０００９】
図２は、８値以上の多値直交変調シンボルと既知パイロットシンボルのフレーム構成を２段階に切り替えるときのフレーム構成の一例を示した図である。
【００１０】
図３は、同相Ｉ−直交Ｑ平面における既知パイロットシンボルの信号点配置の一例を示しており、３０１は、図２（ａ）のフレーム構成のときの既知パイロットシンボルの信号点を示しており、３０２は、図２（ｂ）のフレーム構成のときの既知パイロットシンボルの信号点を示している。
【００１１】
図４は、８値以上の多値ＱＡＭ変調方式の同相Ｉ−直交Ｑ平面における信号点配置および既知パイロットシンボルの信号点配置を示しており、４０１は８値以上の多値ＱＡＭ変調シンボルの信号点、４０２は既知パイロットシンボルの信号点である。
【００１２】
以上、図１から図４を用いて、８値以上の多値変調方式のなかに、既知パイロットシンボルを挿入する方式において、既知パイロットシンボルの挿入間隔を通信状況に合わせ変化させ、既知パイロットシンボルの同相−直交平面における信号点配置を挿入間隔に合わせて変化させるディジタル無線通信方式について説明する。
【００１３】
図１（ａ）は送信系を示しており、送信ディジタル信号１０１、伝送路情報１０２および要求データ伝送速度情報１０３は、直交ベースバンド部１０４に入力され、伝送路情報１０２および要求データ伝送速度情報１０３に基づいて、フレーム構成を決定し、直交ベースバンド信号の同相成分１０５および直交ベースバンド信号の直交成分１０６を出力する。そして、直交ベースバンド信号の同相成分１０５および直交ベースバンド信号の直交成分１０６は送信無線部１０７に入力され、送信無線部１０７は送信信号１０８を出力し、送信系アンテナ１０９から電波が出力される。
【００１４】
図１（ｂ）は受信系を示しており、受信無線部１１１は受信系アンテナ１１０で受信した信号を入力とし、受信直交ベースバンド信号の同相成分１１２および受信直交ベースバンド信号の直交成分１１３を出力する。伝送路歪み推定部１１４は、直交ベースバンド信号の同相成分１１２および直交ベースバンド信号の直交成分１１３を入力とし、伝送路歪み量１１５を出力する。準同期検波部１１６は、直交ベースバンド信号の同相成分１１２および直交ベースバンド信号の直交成分１１３を入力とし、伝送路歪み量１１５に基づいて、準同期検波を行い受信ディジタル信号１１７を出力する。
【００１５】
図２は、伝送路情報および要求データ伝送速度に基づいて２段階にフレームを切り替えるときの既知パイロットシンボルと８値以上の多値直交変調シンボルのフレーム構成の一例を示したものである。このときＮ＜Ｍとする。
【００１６】
図３は、同相Ｉ−直交Ｑ平面における既知パイロットシンボルの信号点配置を示しており、３０１は図２（ａ）のフレーム構成をとったときの既知パイロットシンボルの信号点で、フレーム構成が（ａ）のとき既知パイロットシンボルの信号点を３０１に配置することで、最も高感度の受信特性が得られる。３０２は図２（ｂ）のフレーム構成をとったときの既知パイロットシンボルの信号点で、フレーム構成が（ｂ）のとき既知パイロットシンボルの信号点を３０２に配置することで、最も高感度の受信特性が得られる。
【００１７】
図１において、伝送路情報１０２が、伝送路の変動が激しいという情報のとき、または、要求データ伝送速度情報１０３が、他の通信局からデータ伝送速度の向上を要求されていない情報のとき、図２（ａ）のフレーム構成とし、既知パイロットシンボルの信号点配置は図３の３０１とする。伝送路情報１０２が、伝送路の変動が緩やかという情報のとき、または、要求データ伝送速度情報１０３が、他の通信局からデータ伝送速度の向上を要求されている情報のとき、図２（ｂ）のフレーム構成とし、既知パイロットシンボルの信号点配置は図３の３０２とする。
【００１８】
このように伝送路の状況、データ伝送速度の要求に応じて２段階のフレーム構成をとり、フレーム構成に応じて同相Ｉ−直交Ｑ平面における既知パイロットシンボルの信号点の信号点配置を変え、既知パイロットシンボルの信号点配置を変えることで、フレーム構成を変えても既知パイロットシンボルの信号点配置を変化させないシステムに比べ、高感度の受信が行えるシステムを構成できる。
【００１９】
ここで、図２のようにフレーム構成を２段階で切り替える方法で説明したが、フレーム構成および切り替える段数はこれに限ったものではない。
【００２０】
図４は、同相Ｉ−直交Ｑ平面における８値以上の多値ＱＡＭ方式の信号点配置を示しており、４０１は８値以上の多値ＱＡＭ方式の信号点を示している。８値以上の多値ＱＡＭ方式の信号点４０１のうちＡ、Ｂ、Ｃ、Ｄは同相Ｉ−直交Ｑ平面において、原点からの距離が最も大きくその値をｒQAMとする。そして、４０２は既知パイロットシンボルの信号点を示しており軸上に配置したものである。このとき、原点からの既知パイロットシンボルの信号点の距離をｒPILOTとすると、送信系のパワーアンプに負担をかけずにｒPILOTをｒQAMより大きくすることが可能となる。
【００２１】
ここで、既知パイロットシンボルの信号点を同相Ｉ−直交Ｑ平面において、同相Ｉ軸上に配置したが、直交Ｑ軸上でも同様である。
【００２２】
なお、本実施の形態では、変調方式として、８値以上の多値ＱＡＭ方式で説明したが、変調方式が６４ＱＡＭ方式、３２ＱＡＭ方式、１６ＱＡＭ方式においても同様である。
【００２３】
以上のように本実施の形態によれば、８値以上の多値変調方式のなかに、既知パイロットシンボルを挿入する方式において、既知パイロットシンボルの挿入間隔を通信状況に合わせ変化させ、既知パイロットシンボルの同相−直交平面における信号点配置を挿入間隔に合わせて変化させるディジタル無線通信方式としたものであり、これにより、伝送路の変動が激しくなった場合や送信データの復調誤りを少なくしたい場合には既知パイロットシンボルの挿入間隔を短くすることでデータの復調誤りを少なくし、伝送路の変動が緩やかになった場合やデータの伝送効率を上げたい場合には既知パイロットシンボルの挿入間隔を長くすることでデータ伝送効率を上げることができ、さらに、既知パイロットシンボルの同相−直交平面における信号点配置を挿入間隔に合わせて変化させることで、既知パイロットシンボルの同相−直交平面における信号点配置を一定にしたシステムに比べて高感度の受信を行うことができ、データの伝送効率向上とデータの品質向上のために柔軟な対処が可能となるという効果を有する。
【００２４】
（実施の形態２）
図１は、本実施の形態における無線通信システムの構成概念図示しており、図１において、（ａ）は送信系、（ｂ）は受信系である。図１において、１０１は送信ディジタル信号、１０２は伝送路情報、１０３は要求データ伝送速度情報、１０４は送信系直交ベースバンド変調部、１０５は直交ベースバンド信号の同相成分、１０６は直交ベースバンド信号の直交成分、１０７は送信無線部、１０８は送信信号、１０９は送信系アンテナ、１１０は受信系アンテナ、１１１は受信無線部、１１２は受信系直交ベースバンド信号の同相成分、１１３は受信系直交ベースバンド信号の直交成分、１１４は伝送路歪み推定部、１１５は伝送路歪み量推定値、１１６は準同期検波部、１１７は受信ディジタル信号である。
【００２５】
図５は、８値以上の多値直交変調シンボルとＰＳＫ変調シンボルのフレーム構成を２段階に切り替えるときのフレーム構成の一例を示した図である。
【００２６】
図６は、同相Ｉ−直交Ｑ平面におけるＰＳＫ変調の一例である８ＰＳＫ変調シンボルの信号点配置の一例を示しており、６０１は、図５（ａ）のフレーム構成のときの８ＰＳＫ変調シンボルの信号点を示しており、６０２は、図５（ｂ）のフレーム構成のときの８ＰＳＫ変調シンボルの信号点を示している。
【００２７】
図４は、８値以上の多値ＱＡＭ変調方式の同相Ｉ−直交Ｑ平面における信号点配置を示しており、４０１は８値以上の多値ＱＡＭ変調シンボルの信号点である。
【００２８】
図７は、同相Ｉ−直交Ｑ平面におけるＢＰＳＫ変調方式の信号点配置を示しており、７０１はＢＰＳＫ変調方式の信号点である。
【００２９】
図８は、同相Ｉ−直交Ｑ平面におけるＱＰＳＫ変調方式の信号点配置を示しており、８０１はＱＰＳＫ変調方式の信号点である。
【００３０】
以上の図１、図４、図５、図６、図７および図８を用いて、８値以上の多値変調方式のなかに、ＰＳＫ変調シンボルを挿入する方式において、ＰＳＫ変調シンボルの挿入間隔を通信状況に合わせ変化させ、ＰＳＫ変調シンボルの同相−直交平面における信号点配置を挿入間隔に合わせて変化させるディジタル無線通信方式について説明する。
【００３１】
図１に示す無線通信システムの動作、作用については、（実施の形態１）と同様なので、省略する。
【００３２】
図５は、伝送路情報および要求データ伝送速度に基づいて２段階にフレームを切り替えるときのＰＳＫ変調シンボルと８値以上の多値直交変調シンボルのフレーム構成の一例を示したものである。このときＮ＜Ｍとする。
【００３３】
図６は、同相Ｉ−直交Ｑ平面におけるＰＳＫ変調の一例である８ＰＳＫ変調シンボルの信号点配置を示しており、６０１は図５（ａ）のフレーム構成をとったときの８ＰＳＫ変調シンボルの信号点で、フレーム構成が（ａ）のとき８ＰＳＫ変調シンボルの信号点を６０１に配置することで、最も高感度の受信特性が得られる。６０２は図５（ｂ）のフレーム構成をとったときの８ＰＳＫ変調シンボルの信号点で、フレーム構成が（ｂ）のとき８ＰＳＫ変調シンボルの信号点を６０２に配置することで、最も高感度の受信特性が得られる。
【００３４】
図１において、伝送路情報１０２が、伝送路の変動が激しいという情報のとき、または、要求データ伝送速度情報１０３が、他の通信局からデータ伝送速度の向上を要求されていない情報のとき、図５（ａ）のフレーム構成とし、８ＰＳＫ変調シンボルの信号点配置は図６の６０１とする。伝送路情報１０２が、伝送路の変動が緩やかという情報のとき、または、要求データ伝送速度情報１０３が、他の通信局からデータ伝送速度の向上を要求されている情報のとき、図５（ｂ）のフレーム構成とし、８ＰＳＫ変調シンボルの信号点配置は図６の６０２とする。
【００３５】
このように伝送路の状況、データ伝送速度の要求に応じて２段階のフレーム構成をとり、フレーム構成に応じて同相Ｉ−直交Ｑ平面における８ＰＳＫ変調シンボルの信号点の信号点配置を変え、８ＰＳＫ変調シンボルの信号点配置を変えることで、フレーム構成を変えても８ＰＳＫ変調シンボルの信号点配置を変化させないシステムに比べ、高感度の受信が行えるシステムを構成できる。
【００３６】
ここで、ＰＳＫ変調方式の一例として、８ＰＳＫ変調方式で説明したが、これに限ったものではない。また、図５のようにフレーム構成を２段階で切り替える方法で説明したが、フレーム構成および切り替える段数はこれに限ったものではない。
【００３７】
図４は、同相Ｉ−直交Ｑ平面における８値以上の多値ＱＡＭ方式の信号点配置を示しており、４０１は８値以上の多値ＱＡＭ方式の信号点を示している。８値以上の多値ＱＡＭ方式の信号点４０１のうちＡ、Ｂ、Ｃ、Ｄは同相Ｉ−直交Ｑ平面において、原点からの距離が最も大きくその値をｒQAMとする。
【００３８】
図７は、同相Ｉ−直交Ｑ平面において同相Ｉ軸上に配置したＢＰＳＫ変調方式の信号点配置を示しており、７０１は同相Ｉ軸上に配置したＢＰＳＫ変調方式の信号点を示しており、このとき、原点からＢＰＳＫ変調方式の信号点の距離をｒBPSKとすると、送信系のパワーアンプに負担をかけずにｒBPSKをｒQAM より大きくすることが可能となる。
【００３９】
ここで、ＢＰＳＫ変調方式の信号点を同相Ｉ−直交Ｑ平面において、同相軸Ｉ上に配置したが、直交Ｑ軸上でも同様である。
【００４０】
そして、図８は、同相Ｉ−直交Ｑ平面において同相Ｉおよび直交Ｑ軸上に配置したＱＰＳＫ変調方式の信号点を示しており、このとき、原点から、ＱＰＳＫ変調方式の信号点の距離をｒQPSKとすると、送信系のパワーアンプに負担をかけずにｒQPSKをｒQAM より大きくすることが可能となる。
【００４１】
なお、本実施の形態では、変調方式として、８値以上の多値ＱＡＭ方式で説明したが、変調方式が６４ＱＡＭ方式、３２ＱＡＭ方式、１６ＱＡＭ方式においても同様である。
【００４２】
以上のように本実施の形態によれば、８値以上の多値変調方式のなかに、ＰＳＫ変調シンボルを挿入する方式において、ＰＳＫ変調シンボルの挿入間隔を通信状況に合わせ変化させ、ＰＳＫ変調シンボルの同相−直交平面における信号点配置を挿入間隔に合わせて変化させるディジタル無線通信方式としたものであり、これにより、伝送路の変動が激しくなった場合や送信データの復調誤りを少なくしたい場合にはＰＳＫ変調シンボルの挿入間隔を短くすることでデータの復調誤りを少なくし、伝送路の変動が緩やかになった場合やデータの伝送効率を上げたい場合にはＰＳＫ変調シンボルの挿入間隔を長くすることでデータ伝送効率を上げることができ、さらに、ＰＳＫ変調シンボルの同相−直交平面における信号点配置を挿入間隔に合わせて変化させることで、ＰＳＫ変調シンボルの同相−直交平面における信号点配置を一定にしたシステムに比べて高感度の受信を行うことができ、データの伝送効率向上とデータの品質向上のために柔軟な対処が可能となるという効果を有する。
【産業上の利用可能性】
【００４３】
本発明は、例えばディジタル無線通信に用いる送信方法として有用である。
【図面の簡単な説明】
【００４４】
【図１】本発明の一実施の形態による無線通信システムの構成を示す図
【図２】本発明の一実施の形態による切り替えを用いたフレーム構成の一例を示す図
【図３】本発明の一実施の形態による切り替えを用いた既知パイロットシンボルの同相Ｉ−直交Ｑ平面における信号点配置を示す図
【図４】本発明の一実施の形態による同相Ｉ−直交Ｑ平面における８値以上の多値ＱＡＭ方式の信号点および信号点を軸上に配置した既知パイロットシンボルの信号点配置を示す図
【図５】本発明の一実施の形態による切り替えを用いたフレーム構成の一例を示す図
【図６】本発明の一実施の形態による切り替えを用いた８ＰＳＫ変調シンボルの同相Ｉ−直交Ｑ平面における信号点配置を示す図
【図７】本発明の一実施の形態による同相Ｉ−直交Ｑ平面において信号点を軸上に配置したＢＰＳＫ変調方式の信号点配置を示す図
【図８】本発明の一実施の形態による同相Ｉ−直交Ｑ平面において信号点を軸上に配置したＱＰＳＫ変調方式の信号点配置を示す図
【図９】従来の伝送される信号のフレーム構成の一例を示す図
【符号の説明】
【００４５】
１０１    送信ディジタル信号
１０２    伝送路情報
１０３    要求データ伝送速度情報
１０４    送信系直交ベースバンド変調部
１０５    直交ベースバンド信号の同相成分
１０６    直交ベースバンド信号の直交成分
１０７    送信無線部
１０８    送信信号
１０９    送信系アンテナ
１１０    受信系アンテナ
１１１    受信無線部
１１２    受信系直交ベースバンド信号の同相成分
１１３    受信系直交ベースバンド信号の直交成分
１１４    伝送路歪み推定部
１１５    伝送路歪み量推定値
１１６    準同期検波部
１１７    受信ディジタル信号
３０１    既知パイロットシンボルの信号点
３０２    既知パイロットシンボルの信号点
４０１    ８値以上の多値ＱＡＭ方式の信号点
４０２    信号点を軸上に配置した既知パイロットシンボルの信号点
６０１    ８ＰＳＫ変調の信号点
６０２    ８ＰＳＫ変調の信号点
７０１    信号点を軸上に配置したＢＰＳＫ変調方式の信号点
８０１    信号点を軸上に配置したＱＰＳＫ変調方式の信号点
【図１】
2004274797.tif 000003
【図２】
2004274797.tif 000004
【図３】
2004274797.tif 000005
【図４】
2004274797.tif 000006
【図５】
2004274797.tif 000007
【図６】
2004274797.tif 000008
【図７】
2004274797.tif 000009
【図８】
2004274797.tif 000010
【図９】
2004274797.tif 000011